(57)【特許請求の範囲】
【請求項１】
第一の表示領域に表示されている文字列のうち任意の文字列の指定を受け付ける指定受付手段と、
検索サーバによって提供される複数の情報検索サービスのうち、当該情報検索サービスの利用状況に応じて、指定された前記文字列に対応する情報検索サービスの種類を判定する種類判定手段と、
判定された種類の前記情報検索サービスから前記文字列に基づく検索結果をその文字列の関連情報として取得する関連情報取得手段と、
取得された各前記関連情報を前記文字列と対応付けて第二の表示領域に表示する表示手段と、
を備えたことを特徴とする情報処理装置。
【請求項２】
前記種類判定手段は、検索サーバによって提供される複数の情報検索サービスのうち、指定された前記文字列をキーワードとして検索に利用された回数が最も多い情報検索サービスの種類を当該文字列に対応する情報検索サービスの種類として判定することを特徴とする請求項１に記載の情報処理装置。
【請求項３】
前記第二の表示領域において、前記文字列及び前記関連情報の組ごとに対応して、前記情報検索サービスの種類を切り替えるための画面要素を表示し、その画面要素への操作で切り替えられた種類の前記情報検索サービスから前記文字列に基づく検索結果を取得し、その文字列に対応して表示されていた前記関連情報に代えて、取得された前記検索結果を新たな関連情報として表示する表示切替手段を備えたことを特徴とする請求項１又は２に記載の情報処理装置。
【請求項４】
前記表示手段は、ウェブ・ブラウザにウェブページを表示させるためのマークアップデータにおけるインラインフレーム記述により、前記第二の表示領域であるウェブ・ブラウザのウィンドウ内に他のウェブページを表示するための部分領域を前記文字列に応じて複数設定し、部分領域ごとに前記文字列に対応する前記関連情報を表示させることを特徴とする請求項１から３のいずれか一項に記載の情報処理装置。
【請求項５】
前記指定受付手段は、前記第一の表示領域に表示されている文字列の指定を、ポインティングデバイスにより前記第二の表示領域へドラッグ・アンド・ドロップする操作として受け付けることを特徴とする請求項１から４のいずれか一項に記載の情報処理装置。
【請求項６】
前記表示手段は、ウェブ・ブラウザの表示ウィンドウに前記第一の表示領域を表示している場合に前記第二の表示領域を、
前記表示ウィンドウの一部分として表示する表示態様、
前記表示ウィンドウの別のタブとして表示する表示態様、
前記ウェブ・ブラウザの前記ウィンドウとは別の表示ウィンドウとして表示する表示態
様、
又は、前記ウェブ・ブラウザのツールバー表示領域の一部として表示する表示態様
のうち少なくともいずれかの表示態様で表示し、
前記第二の表示領域をいずれの前記表示態様で表示するかの選択を受け付ける態様選択
手段を備えたことを特徴とする請求項１から５のいずれか一項に記載の情報処理装置。
【請求項７】
第一の表示領域に表示されている文字列のうち任意の文字列の指定をコンピュータが受け付ける指定受付処理と、
検索サーバによって提供される複数の情報検索サービスのうち、当該情報検索サービスの利用状況に応じて、指定された前記文字列に対応する情報検索サービスの種類をコンピュータが判定する種類判定処理と、
判定された種類の前記情報検索サービスから前記文字列に基づく検索結果をその文字列の関連情報としてコンピュータが取得する関連情報取得処理と、
取得された各前記関連情報を前記文字列と対応付けて第二の表示領域にコンピュータが表示する表示処理と、
を含むことを特徴とする情報処理方法。
【請求項８】
コンピュータを制御することにより、
第一の表示領域に表示されている文字列のうち任意の文字列の指定をコンピュータに受け付けさせ、
検索サーバによって提供される複数の情報検索サービスのうち、当該情報検索サービスの利用状況に応じて、指定された前記文字列に対応する情報検索サービスの種類をコンピュータに判定させ、
判定された種類の前記情報検索サービスから前記文字列に基づく検索結果をその文字列の関連情報としてコンピュータに取得させ、
取得された各前記関連情報を前記文字列と対応付けて第二の表示領域にコンピュータに表示させる
ことを特徴とする情報処理プログラム。
【発明の詳細な説明】
【技術分野】
【０００１】
本発明は、インターネット検索に関する。
【背景技術】
【０００２】
近年、インターネットのウェブページにおいて多様な情報がコンテンツとして紹介されている。特に、解説型のコンテンツその他において、表示されている文字列のうち興味を惹かれた任意の語について、関連情報を知りたい場合がある。
【０００３】
このような語をマウスカーソルでポイント、すなわち所謂マウスオーバー操作で選択したときに、その語の近く又は別の専用表示領域に、その語の関連情報としてリンク先ページの要約、訳語などを一時的に表示させる従来技術が知られていた（例えば、特許文献１参照）。類例として、そのように興味を惹かれた任意の語をマウスで選択したうえ右クリックなどで所定の選択肢を選ぶと、その語の関連情報として、その語を検索エンジンで検索した結果画面がブラウザの新たなタブや別ウィンドウとして開く例もある。
【先行技術文献】
【特許文献】
【０００４】
【特許文献１】特開２００７−２７２８５９号
【特許文献２】特開２０１１−００２９７２号（特に段落００２５〜００２６）
【発明の概要】
【発明が解決しようとする課題】
【０００５】
しかし、上記のような従来技術は、選択した語の関連情報が、スクリプトなどの作用で一時的に画面表示されたり、又は語ごとのウェブ検索結果がそれぞれ別々のタブやウィンドウに表示されるにとどまるものであった。このため、元のウェブページでコンテンツを読み終わった後で、気になった語が複数ある場合にまとめて調べるというような使い方はできず、用途が限られるという課題があった。特に、それぞれの語に対応する関連情報について、一覧比較したり内容を切り替えてゆくなど、多角的に確認することは困難であった。
【０００６】
以上の課題に対し、本発明の目的は、複数の任意の語について各語に対応する関連情報の多角的な確認を容易にする技術を提供することである。
【課題を解決するための手段】
【０００７】
上記の目的をふまえ、本発明の一態様（１）である情報処理装置は、第一の表示領域に表示されている文字列のうち任意の文字列の指定を受け付ける指定受付手段と、指定された前記文字列に対応する情報検索サービスの種類を判定する種類判定手段と、判定された種類の前記情報検索サービスから前記文字列に基づく検索結果をその文字列の関連情報として取得する関連情報取得手段と、取得された各前記関連情報を前記文字列と対応付けて第二の表示領域に表示する表示手段と、を備えたことを特徴とする。
【０００８】
本発明の他の態様（７）である情報処理方法は、上記態様を方法のカテゴリで捉えたもので、第一の表示領域に表示されている文字列のうち任意の文字列の指定をコンピュータが受け付ける指定受付処理と、指定された前記文字列に対応する情報検索サービスの種類をコンピュータが判定する種類判定処理と、判定された種類の前記情報検索サービスから前記文字列に基づく検索結果をその文字列の関連情報としてコンピュータが取得する関連情報取得処理と、取得された各前記関連情報を前記文字列と対応付けて第二の表示領域にコンピュータが表示する表示処理と、を含むことを特徴とする。
【０００９】
本発明の他の態様（８）である情報処理プログラムは、上記態様をコンピュータ・プログラムのカテゴリで捉えたもので、コンピュータを制御することにより、第一の表示領域に表示されている文字列のうち任意の文字列の指定をコンピュータに受け付けさせ、指定された前記文字列に対応する情報検索サービスの種類をコンピュータに判定させ、判定された種類の前記情報検索サービスから前記文字列に基づく検索結果をその文字列の関連情報としてコンピュータに取得させ、取得された各前記関連情報を前記文字列と対応付けて第二の表示領域にコンピュータに表示させることを特徴とする。
【００１０】
本発明の他の態様（６）である情報処理システムは、上記態様をシステムのカテゴリで捉えたもので、本発明の他の態様のいずれかの情報処理装置と、前記情報処理装置と通信することで情報を取得及び表示する端末と、を通信ネットワークを介して組み合わせたことを特徴とする。
【００１１】
このように本発明の上記各態様では、ウェブページで指定された文字列から判定された種類の情報検索サービスによる文字列の検索結果を、関連情報として文字列と対応付けて第二の表示領域に複数まとめて表示する。これにより、コンテンツ閲覧中にユーザが気になって選択した文字列とその関連情報をコンテンツ閲覧後に一覧比較したり、それと並行して他の種類や内容などのさらなる関連情報に切り替えてゆくなど、任意の手法でまとめて調査でき、複数の任意の語について各語に対応する関連情報の多角的な確認が容易になる。
【００１２】
本発明の他の態様（２）は、上記いずれかの態様において、前記第二の表示領域において、前記文字列及び前記関連情報の組ごとに対応して、前記情報検索サービスの種類を切り替えるための画面要素を表示し、その画面要素への操作で切り替えられた種類の前記情報検索サービスから前記文字列に基づく検索結果を取得し、その文字列に対応して表示されていた前記関連情報に代えて、取得された前記検索結果を新たな関連情報として表示する表示切替手段を備えたことを特徴とする。
【００１３】
このように、文字列ごとに画面要素への操作により情報検索サービスの種類を、例えばウェブ検索、画像検索、動画検索、ブログ検索、辞書検索、質問回答型コンテンツ検索、地図検索などに容易に切り替えることができるので、関連情報の種類を文字列ごとの位置付けや興味などに応じた種類に切り替えながら表示して一覧比較するなど、関連情報の多角的な確認を一層効果的に行うことが可能となる。
【００１４】
本発明の他の態様（３）は、上記いずれかの態様において、前記表示手段は、ウェブ・ブラウザにウェブページを表示させるためのマークアップデータにおけるインラインフレーム記述により、前記第二の表示領域であるウェブ・ブラウザのウィンドウ内に他のウェブページを表示するための部分領域を前記文字列に応じて複数設定し、部分領域ごとに前記文字列に対応する前記関連情報を表示させることを特徴とする。
【００１５】
このように上記態様では、第二の表示領域とする表示ウィンドウのためのＨＴＭＬなどマークアップデータでインラインフレームを記述してウィンドウ内にさらに入れ子に他のウェブページを表示する部分領域を複数設け、それぞれに異なる文字列に対応する関連情報を表示させる。これにより、部分領域の配列、サイズなどがパラメータ指定により自由に制御でき、どの関連情報についてもそれぞれ独立したウェブページとしてスクロールやクリックなどの操作を自由に行うことができる。
【００１６】
本発明の他の態様（４）は、上記いずれかの態様において、前記指定受付手段は、前記第一の表示領域に表示されている文字列の指定を、ポインティングデバイスにより前記第二の表示領域へドラッグ・アンド・ドロップする操作として受け付けることを特徴とする。
【００１７】
このように、マウスなどのポインティングデバイスによるドラッグ・アンド・ドロップ操作として文字列の指定を受け付けることにより、気になった語を第二の表示領域へ次々と気軽に投げ込んでゆくような簡単な操作で関連情報を表示する対象を指定できるので、もとのウェブページでのコンテンツ閲覧の流れを中断することのない優れたユーザー・インターフェースが実現できる。
【００１８】
本発明の他の態様（５）は、上記いずれかの態様において、前記表示手段は、ウェブ・ブラウザの表示ウィンドウに前記第一の表示領域を表示している場合に前記第二の表示領域を、前記表示ウィンドウの一部分として表示する表示態様、前記表示ウィンドウの別のタブとして表示する表示態様、前記ウェブ・ブラウザの前記ウィンドウとは別の表示ウィンドウとして表示する表示態様、又は、前記ウェブ・ブラウザのツールバー表示領域の一部として表示する表示態様のうち少なくともいずれかの表示態様で表示し、前記第二の表示領域をいずれの前記表示態様で表示するかの選択を受け付ける態様選択手段を備えたことを特徴とする。
【００１９】
このように、上記態様では、指定された文字列と関連情報を表示する第二の表示領域を表示する態様として、同じウィンドウ、別のタブ、別のウィンドウ又はツールバー領域を自由に選択しての切替に応じる。これにより、関連情報を確認する趣旨や目的、ユーザの好みや表示画面サイズなどの状況に応じて、ユーザ自身が判断して選択する最適な表示態様で、複数の任意の語について各語に対応する関連情報の多角的な確認を効果的、効率的、快適に行うことが可能となる。
【００２０】
なお、上記の各態様は、明記しない他のカテゴリ（方法、プログラム、システムなど）としても把握することができ、方法やプログラムのカテゴリについては、装置のカテゴリで示した「手段」を、「処理」や「ステップ」のように適宜読み替えるものとする。また、処理やステップの実行順序は本出願に直接明記するものに限定されず、処理順序を変更したり、一部の処理をまとめてもしくは随時一部分ずつ実行するなど、変更可能である。さらに、方法やプログラムのカテゴリにおいて、個々の処理やステップを実行するサーバや端末などのコンピュータは共通でもよいし、処理ごとにもしくはタイミングごとに異なってもよい。加えて、本発明は、後述するさらに具体的な各態様を含むものである。
【発明の効果】
【００２１】
本発明によれば、複数の任意の語について各語に対応する関連情報の多角的な確認を容易にする技術を提供することができる。
【図面の簡単な説明】
【００２２】
【図１】本発明の実施形態について構成を示す機能ブロック図。
【図２】本発明の実施形態におけるデータ例を示す図（第一と第二の対照データ）。
【図３】本発明の実施形態におけるデータ例を示す図（共起文字列→ジャンル）。
【図４】本発明の実施形態における処理手順を示すフローチャート。
【図５】本発明の実施形態における画面表示例を示す図（同一ウィンドウ）。
【図６】本発明の実施形態における画面表示例を示す図（別タブ）。
【図７】本発明の実施形態における画面表示例を示す図（別ウィンドウ）。
【図８】本発明の実施形態における画面表示例を示す図（ツールバー）。
【図９】本発明の実施形態における画面表示例を示す図（検索種別の切替操作）。
【図１０】本発明の実施形態における画面表示例を示す図（検索種別の切替後）。
【発明を実施するための形態】
【００２３】
次に、本発明を実施するための形態（「実施形態」と呼ぶ）について図に沿って例示する。なお、背景技術や課題などで既に述べた内容と共通の前提事項は適宜省略する。
【００２４】
〔１．構成〕
本実施形態は、図１（構成例）に示すように、サーバシステムである情報処理装置１（以下「本装置１」や「本装置」とも呼ぶ）と、本装置１と通信することでクライアントシステムとして情報を取得及び表示する端末Ｔと、を、インターネットや携帯電話網などの通信ネットワークＮを介して組み合わせた情報処理システムに関する。このうち本装置１は、コンピュータの構成として少なくとも、ＣＰＵなどの演算制御部６と、主メモリや補助記憶装置等の記憶装置７と、通信ネットワークＮとの通信手段８（通信ゲートウェイ装置、移動通信網との通信回路、無線ＬＡＮアダプタなど）と、を有する。
【００２５】
また、端末Ｔは、スマートフォン、携帯電話端末やパーソナルコンピュータなどの情報処理装置で、図示はしないが、上記のようなコンピュータの構成に加え、液晶表示パネルやタッチパネル、押ボタン、キーボードやマウスなどを用いた入出力部と、ウェブページを表示するブラウザなどの関連要素を有し、模式的な図１に拘らず、実際はユーザ数に応じ多数存在する。
【００２６】
また、本装置１では、記憶装置７に記憶（インストール）した所定のコンピュータ・プログラムが演算制御部６を制御することで、図１に示す各手段などの要素（２０，３０ほか）を実現する。それら要素のうち情報の記憶手段は、記憶装置７上のファイルなど任意のデータ形式で実現できるほか、ネットワークコンピューティング（クラウド）によるリモート記憶でもよい。また、記憶手段は、データの格納領域だけでなく、データの入出力や管理などの手段を含んでもよい。また、本出願に示す記憶手段の単位は説明上の便宜によるもので、適宜、構成を分けたり一体化できるほか、明示する記憶手段以外にも、各手段の処理データや処理結果などを記憶する記憶手段を適宜用いるものとする。
【００２７】
記憶手段のうち、対照データ記憶手段３５は、文字列に対し情報検索サービスの種類（以下「検索種別」とも呼ぶ）を対応付けた対照データを記憶している手段で、対照データの一例を図２に示す（後述）。また、関連情報記憶手段４５は、文字列に基づく検索結果をその文字列の関連情報（図示省略）として記憶する手段である。なお、ここでいう情報検索サービスにおける「サービス」は、人が行う役務の意味ではなく、情報処理技術の分野において、あるコンピュータから通信ネットワーク経由で他のコンピュータへ、所定のデータ応答などを提供する機能やプログラム・プロセスなどの意である。
【００２８】
また、図１など図中の矢印は、データや制御などの流れについて主要な方向を補助的に示すもので、他の流れを否定するものでも、方向の限定を意味するものでもない。例えばデータをある方向に取得する場合、事前のデータリクエストや事後のアクノリッジ（ＡＣＫ）が逆方向に送信される。また、記憶手段以外の各手段は、以下に説明するような情報処理の機能・作用を実現・実行する処理手段であるが、これらは説明のために整理した機能単位であり、実際のハードウェア要素やソフトウェアモジュールとの一致は問わない。
【００２９】
〔２．作用及び効果〕
上記のように構成された本実施形態における処理手順を図４のフローチャートに示す。
〔２−１．概要〕
概要としては、ユーザ操作に応じて任意のウェブページが第一の表示領域（以下「メイン領域」や「メイン領域Ａ」とも表す）に表示されている状態で（ステップＳ１。図５のうちメイン領域Ａの部分のみ参照）、指定受付手段２０が、メイン領域Ａに表示されているウェブページに含まれる文字列のうち任意の文字列（例えば文字列Ｘ１「露出補正」）の指定を受け付けると（ステップＳ２：「ＹＥＳ」）、種類判定手段３０が、指定された文字列に対応する検索種別を判定する（ステップＳ３）。
【００３０】
そして、関連情報取得手段４０が、判定された種類の情報検索サービスから文字列に基づく検索結果をその文字列の関連情報として取得し（ステップＳ４）、表示手段５０が、取得された各関連情報を文字列と対応付けて単一の第二の表示領域（以下「サブ領域」や「サブ領域Ｂ」とも表す）にまとめて表示する（ステップＳ５。図５の全体を参照）。なお、検索種別ごとの情報検索サービスは、例えば（図１）、ウェブ検索サーバＶ１、画像検索サーバＶ２、辞書検索サーバＶ３やＱ＆Ａ検索サーバＶ４などにより、ＡＰＩ（Application  Program  Interface）その他の態様で提供される。
【００３１】
また、図５以降の画面例中でウェブページ中の文字列からサブ領域中の文字列を指す矢印は、説明用であり画面に実際に表示されるものではないが、そのような矢印を実際に画面表示すればウェブページ中の個所と、文字列及び関連情報と、の対応関係が一目で把握容易となり情報の一覧性も改善するので、複数の任意の語について各語に対応する関連情報の多角的な確認を一層容易にすることができる。
【００３２】
このように本実施形態では、ウェブページで指定（ステップＳ２）された文字列から判定（ステップＳ３）された種類の情報検索サービスによる文字列の検索結果を（ステップＳ４）、関連情報として文字列と対応付けて第二の表示領域（例えば図５のサブ領域Ｂ）に複数まとめて表示する（ステップＳ５）。これにより、コンテンツ閲覧中にユーザが気になって選択した文字列とその関連情報をコンテンツ閲覧後に一覧比較したり、それと並行して他の種類や内容などのさらなる関連情報に切り替えてゆくなど、任意の手法でまとめて調査でき、複数の任意の語について各語に対応する関連情報の多角的な確認が容易になる。
以下、処理の各部分と、他の追加の工夫について説明する。
【００３３】
〔２−２．文字列の指定〕
まず、ウェブページ中の文字列から任意の文字列の指定を指定受付手段２０が受け付ける際のユーザ操作であるが、その具体的態様は自由である。例えば、任意の文字列をタッチパネルやマウス操作で選択した状態で、マウスの右クリックメニューからの所定の選択肢の選択その他所定の操作を行うと指定が完了することが考えられる。また、任意の文字列上でマウスのダブルクリック操作やタッチパネルのタップ操作やダブルタップ操作などを行うと、形態素解析などで語の単位が切り出され指定されるなどでもよい。
【００３４】
他にも、ウェブページ上で任意の文字列を選択のうえ、サブ領域Ｂへ又はサブ領域Ｂの利用を開始するための所定の領域に、ドラッグ・アンド・ドロップ操作するなども考えられる。この場合、指定受付手段２０は、メイン領域Ａに表示されているウェブページ上の文字列の指定を、タッチパネルやマウスなどのポインティングデバイスによりサブ領域Ｂへドラッグ・アンド・ドロップする操作として受け付ける。
【００３５】
このように、マウスなどのポインティングデバイスによるドラッグ・アンド・ドロップ操作として文字列の指定を受け付けることにより、気になった語を第二の表示領域（例えば図５のサブ領域Ｂ）へ次々と気軽に投げ込んでゆくような簡単な操作で関連情報を表示する対象を指定できるので、もとのウェブページでのコンテンツ閲覧の流れを中断することのない優れたユーザー・インターフェースが実現できる。
【００３６】
〔２−３．種類の判定〕
上記のように指定された文字列に対応する検索種別を種類判定手段３０が判定する手法も自由であるが、一例として図２の対照データで例示するように、文字列についてその属する話題やテーマ（仮に「ジャンル」と呼ぶ）と予め第一の対照データで関連付け（図２（１））、さらに、ジャンルについて、対応する検索種別と予め第二の対照データ（図２（２））で関連付けておく。この二段階の関連付けを文字列→ジャンル→検索種別、と辿れば、文字列に対応するジャンルが判定できる。例えば、文字列「著作権フリー」からはジャンル「イラスト・素材画像」を経て（図２中の破線矢印）検索種別「画像検索」が判定できる。
【００３７】
上記のような対照データは人手で用意してもよいが、特許文献２のような意図解析システムを作成に活用してもよい。この意図解析システムによれば、ウェブサイトのドメイン名とジャンルを対応付けた例えば所謂カテゴリサービスのデータなどを予め用意し、様々なキーワードごとに検索結果のウェブページのうちどのジャンルのドメイン名のものが多くクリックされたかを判定することで、キーワードすなわち文字列とジャンルとを対応付けた対照データが得られ、これは前記第一の対照データ（図２（１））に相当する。
【００３８】
また、ジャンルと検索種別を対応付ける前記第二の対照データ（図２（１））についても、予め人手などで用意するほか、任意の手法で生成してよい。一例として、個々のキーワードすなわち文字列が検索キーとして用いられる文字列間のシェア順を検索種別ごとに求め、ある文字列に対応する検索種別は、その文字列のシェア順が最も高い検索種別とする、などが考えられる。このようにすれば、特許文献２のようにドメイン名やジャンルのデータなしで、しかも、文字列と検索種別を直接対応付けた対照データが得られる。他にも、形態素解析や構文解析など日本語処理等に用いる言語処理技術による意図解析を適宜用いて文字列から検索種別を判定することもできる。
【００３９】
さらに他の例として、図３に例示するように、指定された文字列と共起性（検索文字列として組み合わせて指定される傾向）が高い文字列（仮に「共起文字列」と呼んでおく）と、検索種別と、を対応付ける対照データを用いて、文字列に対応する検索種別を判定してもよい。図３の例では、「画像」という文字列と組み合わせて頻繁に検索される文字列は、画像検索に対応付けられている。また、「ＨＴＭＬとは」のように「とは」という文字列と組み合わされる文字列は、辞書検索に対応付けられている。このようにすれば、いわゆる関連検索サービスに用いるような共起文字列のデータを活用して、文字列と検索種別を直接対応付けた対照データが得られる。
【００４０】
〔２−４．第二の表示領域の表示手法〕
上記のように判定された検索種別の情報検索サービスから、関連情報取得手段４０が指定された文字列に基づいてその文字列の関連情報として取得（ステップＳ４）する検索結果は、表示手段５０が文字列と対応付けてサブ領域Ｂに表示する（ステップＳ５。図５）。関連情報は、文字列が指定されるたびに順次、直ちに表示していってもよいが、複数の文字列の指定後、所定の表示操作を待って一括して表示すれば、関連情報の表示を待たず複数の文字列を連続して迅速円滑に表示できる。
【００４１】
上記のように関連情報をサブ領域Ｂに表示してゆく結果、指定された文字列が増えると、文字列と関連情報の組が何組もサブ領域Ｂに溜まってゆくような表示となるが（例えば図５では２組）、そのような表示を具体的に実現する技術的手法も自由である。
【００４２】
一例としては、表示手段５０が、ウェブ・ブラウザにウェブページを表示させるためのマークアップデータにおけるインラインフレーム記述により、図５に例示するサブ領域Ｂであるウェブ・ブラウザのウィンドウ（図５の例のように、ウィンドウの一部分である場合を含む）内に他のウェブページを表示するための部分領域（例えばＢ１，Ｂ２）を文字列に応じて複数設定し、部分領域ごとに文字列（例えば「露出補正」「スナイパー」）に対応する関連情報を表示させることが考えられる。
【００４３】
このように本実施形態では、例えば第二の表示領域（サブ領域Ｂ）とする表示ウィンドウのためのＨＴＭＬなどマークアップデータでインラインフレームを記述してウィンドウ内にさらに入れ子に他のウェブページを表示する部分領域（例えばＢ１，Ｂ２）を複数設け、それぞれに異なる文字列に対応する関連情報を表示させる。これにより、部分領域の配列、サイズなどの体裁がパラメータ指定により自由に制御でき、どの関連情報についてもそれぞれ独立したウェブページとしてスクロールやクリックなどの操作を自由に行うことができる。
【００４４】
〔２−５．表示態様の切り替え〕
また、上記のようなサブ領域を、元のウィンドウやタブなどとの関係でどのように表示するかも自由であるが、いくつかの典型例として、ウェブ・ブラウザの表示ウィンドウにメイン領域を表示している場合に表示手段５０がサブ領域を、次のように表示する表示態様が考えられる。
（１）図５に例示するように、前記表示ウィンドウ（Ｗ１とする）の一部分としてサブ領域Ｂを表示する第一の表示態様
（２）図６に例示するように、同じ表示ウィンドウ（例えばＷ２とする）の別のタブ（例えばＴ２）として表示（図６（２））する第二の表示態様
（３）図７に例示するように、前記ウェブ・ブラウザの前記ウィンドウ（例えばＷ３とする）とは別の表示ウィンドウＷ３Ｂとして表示する第三の表示態様
（４）図８に例示するように、前記ウェブ・ブラウザのツールバー表示領域ＴＢの一部又は全部としてサブ領域Ｂ（図８において略矩形の破線で示す）を表示する第四の表示態様
【００４５】
サブ領域Ｂの表示態様はもちろんこれら第一から第四の表示態様に限られないが、これらのうちいずれかの表示態様で表示する場合、態様選択手段６０が、サブ領域をいずれの表示態様で表示するかの選択を受け付け（ステップＳ６：「ＹＥＳ」）、それに応じてサブ領域の表示態様を切り替える表示更新を表示手段５０が行う（ステップＳ７）。ここで、サブ領域の表示態様の選択を受け付ける態様は自由で、図示は省略するが、マウスの右クリック操作などで呼び出す設定画面や、本装置１が提供する設定用ウェブページ、もしくは端末Ｔでプログラムやスクリプトが表示する設定画面など、適宜な態様で受け付ければよい。
【００４６】
このように、本実施形態では、指定された文字列と関連情報を表示する第二の表示領域（サブ領域）を表示する態様として、同じウィンドウ（例えば図５）、別のタブ（例えば図６）、別のウィンドウ（例えば図７）又はツールバー領域（例えば図８）を自由に選択しての切替に応じる（ステップＳ６，Ｓ７）。これにより、関連情報を確認する趣旨や目的、ユーザの好みや表示画面サイズなどの状況に応じて、ユーザ自身が判断して選択する最適な表示態様で、複数の任意の語について各語に対応する関連情報の多角的な確認を効果的、効率的、快適に行うことが可能となる。
【００４７】
なお、個々が単一である第二の表示領域は単数に限らず、複数用いれば、文字列のグループ毎に第二の表示領域を使い分けるなど柔軟な使い勝手が実現できる。また、そのように第二の表示領域が複数の場合、個々の第二の表示領域ごとに上記のような複数の表示態様から表示態様を相互に独立して同時並行的に選択を受け付けるようにすれば、文字列のグループ毎に最適な表示態様を使い分けることでより一層優れた使い勝手が実現できる。
【００４８】
〔２−６．検索種別の切替〕
また、サブ領域に表示する関連情報の検索種別は、所定の画面要素を操作することで文字列ごとに切り替えることができる。すなわち、表示切替手段８０は、サブ領域Ｂにおいて、文字列と関連情報の組ごとに対応して、検索種別を切り替えるための画面要素（トグルスイッチ、ドロップボックスやラジオボタンなど）を表示する。例えば、図５の例では、文字列「露出補正」と「スナイパー」に対応して、検索種別の表示を兼ねた切替パーツＰ（Ｐ１，Ｐ２）を表示している。
【００４９】
この切替パーツＰ（ここではＰ２を例にとる）に対しマウスカーソルＭでポイントしクリックなどの選択操作を行うと、図９に例示するようにドロップダウンリストＤが表示され、任意の種類の検索種別を選択する切替操作となる（ステップＳ８：「ＹＥＳ」）できる。図９の例では、「ウェブ検索」だった検索種別をマウス操作により「画像検索」に切り替えようとしている。
【００５０】
このように画面要素への切替操作で検索種別を切り替えると（ステップＳ８：「ＹＥＳ」）、表示切替手段８０は、切り替えられた検索種別の情報検索サービスから対応する文字列に基づく検索結果を取得し、その文字列に対応して表示されていた関連情報に代えて、取得された検索結果を新たな関連情報として表示する（ステップＳ９）。このように切替後の新たな検索種別である画像検索による関連情報が表示された画面例を図１０に示す。
【００５１】
上記のような検索種別の切替の際、表示切替手段８０は、検索結果の取得については関連情報取得手段４０の該当する機能を呼び出し、新たな関連情報への表示の更新については表示手段５０の機能を呼び出すことによって実行させてもよい。
【００５２】
このように、本実施形態では、文字列ごとに画面要素（例えば切替パーツＰ）への操作により（ステップＳ６）情報検索サービスの種類を、例えばウェブ検索、画像検索、動画検索、ブログ検索、辞書検索、質問回答型コンテンツ検索、地図検索などに容易に切り替えることができるので（ステップＳ７）、関連情報の種類を文字列ごとの位置付けや興味などに応じた種類に切り替えながら表示して一覧比較するなど、関連情報の多角的な確認を一層効果的に行うことが可能となる。
【００５３】
〔３．他の実施形態〕
なお、上記実施形態は例示に過ぎず、本発明は、以下に例示するものやそれ以外の他の実施態様も含むものである。例えば、本出願における構成図、データの図、フローチャートなどは例示に過ぎず、各要素の有無、その配置や処理実行などの順序、具体的内容などは適宜変更可能である。一例として、上記実施形態においてサーバとしての情報処理装置１の構成要素として示した各手段は、スマートフォンなど端末のアプリケーション・プログラムとして実現してもよい。もちろん、第一の表示領域はウェブページには限られず、スマートフォンなど端末のアプリケーション・プログラムが配信を受けるなどして表示するコンテンツであってもよい。
【００５４】
また、上記実施形態で示した各手段を、それぞれ異なるサーバなどのハードウェアで実現したり、外部のプラットフォーム等をＡＰＩ（アプリケーション・プログラム・インタフェース）やネットワークコンピューティング（いわゆるクラウドなど）といった任意の形態で実現するなど、本発明の構成は柔軟に変更できる。さらに、本発明に関する手段などの各要素は、コンピュータの演算制御部に限らず物理的な電子回路など他の情報処理機構で実現してもよい。
【符号の説明】
【００５５】
１  情報処理装置
６  演算制御部
７  記憶装置
８  通信手段
２０  指定受付手段
３０  種類判定手段
３５  対照データ記憶手段
４０  関連情報取得手段
４５  関連情報記憶手段
５０  表示手段
６０  態様選択手段
８０  表示切替手段
Ａ  メイン領域
Ｂ  サブ領域
Ｄ  ドロップダウンリスト
Ｍ  マウスカーソル
Ｎ  通信ネットワーク
Ｐ（Ｐ１，Ｐ２）  切替パーツ
Ｖ１  ウェブ検索サーバ
Ｖ２  画像検索サーバ
Ｖ３  辞書検索サーバ
Ｖ４  Ｑ＆Ａ検索サーバ
Ｔ  端末
ＴＢ  ツールバー表示領域
Ｗ（Ｗ１，Ｗ２，Ｗ３，Ｗ３Ｂ，Ｗ４）  表示ウィンドウ
Ｘ１  文字列
【図１】
0005437325.tif 000002
【図２】
0005437325.tif 000003
【図３】
0005437325.tif 000004
【図４】
0005437325.tif 000005
【図５】
0005437325.tif 000006
【図６】
0005437325.tif 000007
【図７】
0005437325.tif 000008
【図８】
0005437325.tif 000009
【図９】
0005437325.tif 000010
【図１０】
0005437325.tif 000011